(57)【要約】      （修正有）【課題】外部とクリーンルームとの間の動線上に配置される更衣室等において、クリーンスーツ等の各種クリーンルーム用品をコンパクトな形態にて収納することが可能な収納具を提供する。【解決手段】矩形状を呈する第一シート部１２と、第一シート部における一の辺端部から延出する、外方に向かって幅狭な等脚台形状を呈する第二シート部１４とから構成される防塵性織物シートの二枚を用いて、それら二枚の防塵性織物シートを、外形状が一致するよう重ね合わせた状態で所定の部位にて縫合し、形成される縫製物によって、第一の収納部５０と第二の収納部５２が形成される。【選択図】図１
0003230129.tif 000002
【実用新案登録請求の範囲】
【請求項１】
同一形状を呈する二枚の防塵性織物シートの縫製物からなるクリーンルーム用品の収納具にして、
前記防塵性織物シートは、矩形状を呈する第一シート部と、該第一シート部における一の辺端部から延出する、外方に向かって幅狭な等脚台形状を呈する第二シート部とから構成されており、
外形状が一致するよう重ね合わせられた前記二枚の防塵性織物シートが、ｉ）該防塵性織物シートにおける前記第一シート部の、前記第二シート部が設けられている側の辺端部と対向する辺端部において、該第二シート部が延出する方向に垂直な直交方向の全長に亘る縫合部ａによって縫合され、ii）該防塵性織物シートの前記第二シート部における外縁部の、前記直交方向に水平な部位を除いた部位において、縫合部ｂ１、ｂ２によって縫合され、iii ）該防塵性織物シートにおける縫合部ａと縫合部ｂ１、ｂ２との間において、前記直交方向の全長に亘る縫合部ｃによって縫合されて、前記縫製物は構成されており、
前記縫製物における縫合部ａと縫合部ｃとの間の部位によって第一の収納部が形成され、且つ、該縫製物における縫合部ｃと前記縫合部ｂ１、ｂ２との間の部位によって第二の収納部が形成されており、
前記縫製物における縫合部ｂ１、ｂ２間の、縫合されていない前記二枚の防塵性織物シートの部位によって開口部が形成されている、
ことを特徴とするクリーンルーム用品の収納具。
【請求項２】
前記縫製物における少なくとも何れか一方の表面上に、矩形状のメッシュ布が一の辺端部を除く三つの辺端部において縫合されてなるポケット部を備える請求項１に記載のクリーンルーム用品の収納具。
【請求項３】
前記防塵性織物シート及び／又は前記メッシュ布が、外周縁に防塵性織物生地からなる帯状布を用いたパイピング処理部を有するものである請求項１又は請求項２に記載のクリーンルーム用品の収納具。
【請求項４】
前記二枚の防塵性織物シートが、前記第一の収納部及び／又は第二の収納部の、前記第二シート部の延出方向に直交する方向における一方の辺端部において、縫合部ａ、縫合部ｂ１、縫合部ｂ２及び縫合部ｃの何れからも独立する縫合部ｄにて縫合されている請求項１乃至請求項３の何れか１項に記載のクリーンルーム用品の収納具。
【考案の詳細な説明】
【技術分野】
【０００１】
本考案は、クリーンルーム用品の収納具に係り、特に、外部とクリーンルーム（防塵室）との間の動線上に配置される前室（更衣室）等において、クリーンルーム用品を収納するために有利に用いられ得る収納具に関するものである。
【背景技術】
【０００２】
従来より、小さな埃や塵（塵埃）の付着が許されない電子部品や精密機器、光学機器等の製造や、細菌の繁殖が品質に大きな影響を及ぼす医薬品の製造や食品の加工等は、室内の空気清浄度が確保されたクリーンルーム（防塵室）内にて行なわれている。クリーンルームは、室内の塵埃を除去するための給排気システムを備えていることが一般的ではあるが、室内の空気清浄度を維持するためには塵埃の発生を抑えることも重要であるところから、クリーンルーム内においては、発塵する材料や備品の使用は避けられ、また、室内の作業者にはクリーンスーツ（防塵服）やクリーンシューズ（クリーンルーム用履き物）等の着用が、必須とされている。
【０００３】
ここで、クリーンルームには、そこへの入退室の動線（経路）上に前室（更衣室）が配置されていることが一般的であり、作業者は、かかる前室（更衣室）内にて、通常の衣服からクリーンスーツへと着替え、また、通常の靴等からクリーンシューズに履き替えた後、クリーンルームに入室することとなる。クリーンルームへの動線（経路）上に設けられる前室（更衣室）の構成としては、クリーンルームに要求される空気清浄度等に応じた構成に係るものが従来より種々、提案されているところ、かかる前室（更衣室）内にてクリーンスーツ等を収納するための収納家具、収納具等としては、特許文献１（特開２０１９−１７４０７１号公報）に開示されているように、ロッカーが広く採用されている。
【先行技術文献】
【特許文献】
【０００４】
【特許文献１】特開２０１９−１７４０７１号公報
【考案の概要】
【考案が解決しようとする課題】
【０００５】
クリーンルームの前室（更衣室）内にてクリーンスーツ等を収納するために使用されるロッカーは、利便性に優れているものの、嵩高いという欠点がある。このため、多数の作業者が出入りするクリーンルームの前室（更衣室）内に各作業者用のロッカーを設置するとなると、多くのロッカーが必要となり、かかる多くのロッカーを配置するために前室（更衣室）を大きくせざるを得ないという問題がある。
【０００６】
このような状況の下、本考案は完成されるに至ったのであり、その解決すべき課題とするところは、外部とクリーンルーム（防塵室）との間の動線（経路）上に配置される前室（更衣室）等において、クリーンスーツを始めとする各種のクリーンルーム用品をコンパクトに収納することが可能な収納具を提供することにある。
【課題を解決するための手段】
【０００７】
そして、本考案は、かかる課題を解決するために、Ａ）同一形状を呈する二枚の防塵性織物シートの縫製物からなるクリーンルーム用品の収納具にして、Ｂ）前記防塵性織物シートは、矩形状を呈する第一シート部と、該第一シート部における一の辺端部から延出する、外方に向かって幅狭な等脚台形状を呈する第二シート部とから構成されており、Ｃ）外形状が一致するよう重ね合わせられた前記二枚の防塵性織物シートが、ｉ）該防塵性織物シートにおける前記第一シート部の、前記第二シート部が設けられている側の辺端部と対向する辺端部において、該第二シート部が延出する方向に垂直な直交方向の全長に亘る縫合部ａによって縫合され、ii）該防塵性織物シートの前記第二シート部における外縁部の、前記直交方向に水平な部位を除いた部位において、縫合部ｂ１、ｂ２によって縫合され、iii ）該防塵性織物シートにおける縫合部ａと縫合部ｂ１、ｂ２との間において、前記直交方向の全長に亘る縫合部ｃによって縫合されて、前記縫製物は構成されており、Ｄ）前記縫製物における縫合部ａと縫合部ｃとの間の部位によって第一の収納部が形成され、且つ、該縫製物における縫合部ｃと前記縫合部ｂ１、ｂ２との間の部位によって第二の収納部が形成されており、Ｅ）前記縫製物における縫合部ｂ１、ｂ２間の、縫合されていない前記二枚の防塵性織物シートの部位によって開口部が形成されている、ことを特徴とするクリーンルーム用品の収納具を、その要旨とするものである。
【０００８】
ここで、そのような本考案に係るクリーンルーム用品の収納具にあっては、前記縫製物における少なくとも何れか一方の表面上に、矩形状のメッシュ布が一の辺端部を除く三つの辺端部において縫合されてなるポケット部を備えていることを、好ましい第一の態様とする。
【０００９】
また、本考案に従うクリーンルーム用品の収納具にあっては、前記防塵性織物シート及び／又は前記メッシュ布が、外周縁に防塵性織物生地からなる帯状布を用いたパイピング処理部を有するものであることを、好ましい第二の態様とする。
【００１０】
さらに、本考案に係るクリーンルーム用品の収納具にあっては、前記二枚の防塵性織物シートが、前記第一の収納部及び／又は第二の収納部の、前記第二シート部の延出方向に直交する方向における一方の辺端部において、縫合部ａ、縫合部ｂ１、縫合部ｂ２及び縫合部ｃの何れからも独立する縫合部ｄにて縫合されていることを、好ましい第三の態様とする。
【考案の効果】
【００１１】
このように、本考案に従うクリーンルーム用品の収納具は、同一形状を呈する二枚の防塵性織物シートの縫製物にて構成されるものであるところから、外部とクリーンルーム（防塵室）との間の動線上に配置され、一定程度の空気清浄度が要求される更衣室等（前室）において、特に有利に用いられ得るものとなっているのである。また、本考案の収納具内に、ハンガー（吊り下げ型の整理具）を、そのフック部を開口部より突出せしめるようにして収容し、かかるハンガーのフック部を、更衣室内にて水平方向に配設されているハンガーバーに掛けることにより、本考案に係る収納具を、ハンガーを介してハンガーバーに吊り下げることが可能である。更に、本考案の収納具は二つの収容部を有しており、吊り下げられた状態にある収納具の各収納部にクリーンルーム用品を収納する（例えば、第一の収納部にクリーンシューズを収納し、第二の収納部にクリーンスーツを収納する）ことにより、更衣室内にロッカーを配置して利用する場合と比較して、クリーンルーム用品をコンパクトに収容することが、可能ならしめられているのである。
【図面の簡単な説明】
【００１２】
【図１】本考案に従うクリーンルーム用品の収納具の一実施形態を示す斜視説明図である。
【図２】図１に示される収納具の、図１とは異なる角度からの斜視説明図である。
【図３】図１に示される収納具を構成する二枚の防塵性織物シートのうちの一つを示す表面図である。
【図４】図１に示される収納具を構成する二枚の防塵性織物シートのうちの他の一つを示す表面図である。
【図５】図１に示される収納具を構成する防塵性織物シートについて、その外周縁の断面を模式的に表す部分断面説明図である。
【図６】図１に示される収納具がクリーンルーム用品を収納した状態を示す斜視説明図である。
【考案を実施するための形態】
【００１３】
以下、図面を適宜、参酌しながら、本考案を詳細に説明する。なお、本願に添付する図面は、本考案の説明の都合上、部分的に誇張されて描かれたものであることが、理解されるべきである。
【００１４】
図１及び図２には、本考案に従うクリーンルーム用品の収納具（以下、単に収納具ともいう）の代表的な実施形態の一つが示されている。具体的に、図１及び図２は、何れも本考案に係る収納具１０を示す斜視説明図であるところ、図１は、一方の面側の斜方より観察される態様を示す説明図であり、図２は、他方の面側の斜方より観察される態様を示す説明図である。
【００１５】
それら図１及び図２より把握されるように、本考案に係るクリーンルーム用品の収納具１０は、平面視において同一形状を呈する二枚の防塵性織物シート（第一のシート１２、第二のシート１４）が、外形状が一致するよう重ね合わせられた状態で所定の部位にて縫合された、全体として一体を成す縫製物によって、構成されている。なお、以下の説明において、「収納具１０の表面」とは、収納具１０における図１に表されている側の面を、また「収納具１０の裏面」とは、収納具１０における図２に表されている側の面を、各々、意味するものとする。
【００１６】
本考案に係る収納具１０を構成する二枚の防塵性織物シートについては、第一のシート１２の表面図が図３に、第二のシート１４の表面図が図４に、各々、示されている。本実施形態において、第一のシート１２の表面図と裏面図とは同一であるところから、第一のシート１２の裏面図の添付は省略するものとし、また、第二のシート１４の裏面図は、第一のシート１２の表面図（裏面図）と同一のものとなるところから、第二のシート１４の裏面図の添付も省略する。
【００１７】
図１乃至図４より明らかなように、収納具１０たる縫製物を構成する第一のシート１２及び第二のシート１４は、何れも、平面視において略六角形状を呈するシート状物である。具体的に、第一のシート１２（第二のシート１４）は、矩形状を呈するシート部１２ａ（１４ａ）と、このシート部１２ａ（１４ａ）の一の辺端部から延出する、外方に向かって（図１乃至図４においては紙面上方に向かって）幅狭な等脚台形状を呈するシート部１２ｂ（１４ｂ）より、構成されている。
【００１８】
本考案において、第一のシート１２及び第二のシート１４は何れも防塵性織物シート、換言すれば、防塵性織物生地のシート状体である。防塵性織物生地とは、それ自体からの発塵が極力抑えられている生地（素材）であり、従来より、クリーンスーツ（防塵服）用の生地として様々なものが提案、開発されている。そのような防塵性織物生地のシート状体（防塵性織物シート）の縫製物によって、本考案に従う収納具１０は構成されているところから、収納具自体からの発塵が有利に抑制され、以て、ある程度の空気清浄度が要求されるクリーンルームの更衣室（前室）において有利に使用され得るのである。
【００１９】
本考案の収納具に採用される防塵性織物シートとしては、クリーンスーツ（防塵服）を構成する生地として用いられ得る防塵性織物生地のシート状体であれば、特に制限されることなく、使用することが可能である。例えば、収納するクリーンスーツを構成する防塵性織物生地と同一のものからなるシート状体は勿論のこと、異なる防塵性織物生地からなるシート状体であっても、使用することが出来る。防塵性織物生地を構成する繊維としては、ポリエステル繊維、ナイロン繊維、アクリル繊維等を例示することが出来る。なお、第一のシート１２を構成する防塵性織物生地と、第二のシート１４を構成する防塵性織物生地とは、同一であっても、異なっていても良い。
【００２０】
また、本考案の収納具１０を構成する第一のシート１２、第二のシート１４における各部の寸法（長さ）については、特に限定されるものではないが、図３及び図４におけるＬ１〜Ｌ３の各々の長さについては、例えば、Ｌ１については３００ｍｍ〜６００ｍｍ程度、Ｌ２［シート部１２ａ（１４ａ）における、シート部１２ｂ（１４ｂ）の延出方向の長さ］については６００ｍｍ〜１０００ｍｍ程度、Ｌ３［シート部１２ｂ（１４ｂ）における延出方向の長さ］については５０ｍｍ〜２００ｍｍ程度とされる。
【００２１】
一方、本実施形態に係る第一のシート１２、及び第二のシート１４の各外周縁には、防塵性織物生地からなる帯状布を用いてなるパイピング処理部１６、１８が形成されている。図５には、各シートの外周縁近傍を厚さ方向にて切断した際の断面が模式的に示されているところ、かかる図５より理解されるように、第一のシート１２（第二のシート１４）の外周縁を覆うように帯状布２０（帯状布２２）が縫い付けられて、パイピング処理部１６（パイピング処理部１８）が形成されているのである。なお、図５における太点線は、シートと帯状布との縫い目を模式的に表すものである。
【００２２】
このように、第一のシート１２及び第二のシート１４の各外周縁に、防塵性織物生地からなる帯状布２０、２２を用いたパイピング処理部１６、１８を形成せしめていることにより、シート端部より発生する、或いはそこに存在する、防塵性織物生地を構成する繊維のクズが、パイピング処理部内に効果的に止まることとなり、以て、収納具１０からの発塵がより効果的に抑制されることとなるのである。
【００２３】
なお、本考案において、防塵性織物シート（１２、１４）の外周縁にパイピング処理部（１６、１８）を設けるに際して用いられる帯状布（２０、２２）としては、シートを構成する生地と同一の防塵性織物生地からなるものは勿論のこと、異なる防塵性織物生地からなるものであっても、使用することが可能である。
【００２４】
さらに、本実施形態に係る収納具１０においては、図２及び図４に明示されているように、第二のシート１４の表面（収納具１０の裏面）にポケット部２４が設けられている。このポケット部２４は、外周縁に防塵性織物生地の帯状布２６からなるパイピング処理部２８を有する、矩形状のメッシュ布３０が、一の辺端部（図４においては上辺端部）を除く三つの辺端部において第二のシート１４表面に縫合されることによって、形成されている。このようなポケット部２４を備えていることにより、本考案に従う収納具１０にあっては、例えば、フードやキャップ、グローブ等の、クリーンルーム内で使用される比較的小さなクリーンルーム用品を、ポケット部２４内に有利に収納することが可能である。
【００２５】
そのようなポケット部２４を構成するメッシュ布３０としては、本考案の目的を阻害するものでない限り、如何なるものであっても使用することが可能であり、従来より公知の各種のメッシュ布の中からポケット部２４の大きさ等に応じたものが適宜、選択されて、使用される。また、メッシュ布３０の外周縁にパイピング処理部２８を設けるに際して用いられる帯状布２６にあっても、前述した、シート（第一のシート１２、第二のシート１４）の外周縁に設けられるパイピング処理部１６、１８と同様に、防塵性織物生地からなるものであれば、特に限定されることなく使用可能である。
【００２６】
そして、本考案に従うクリーンルーム用品の収納具１０にあっては、上述した第一のシート１２及び第二のシート１４が、外形状が一致し、裏面同士が対向するよう重ね合わせられた状態で、所定の部位において縫合されてなる縫製物によって構成されているところに、大きな技術的特徴が存しているのである。
【００２７】
具体的には、第一のシート１２と第二のシート１４とが、ｉ）第一のシート１２（第二のシート１４）におけるシート部１２ａ（１４ａ）の、シート部１２ｂ（１４ｂ）が設けられている側の辺端部と対向する辺端部（図１乃至図４においては下辺端部）において、シート部１２ｂ（１４ｂ）が延出する方向に垂直な直交方向（図３及び図４における左右方向）の全長に亘る縫合部３２によって縫合され、また、ii）第一のシート１２（第二のシート１４）のシート部１２ｂ（１４ｂ）における外縁部の、前記直交方向（図３及び図４における左右方向）に水平な部位を除いた部位において、縫合部３４ａ、３４ｂによって縫合され、更には、iii ）第一のシート１２（第二のシート１４）における縫合部３２と縫合部３４ａ、３４ｂとの間において、前記直交方向（図３及び図４における左右方向）の全長に亘る縫合部３６によって縫合され、更にまた、iv）第一のシート１２（第二のシート１４）のシート部１２ａ（１４ａ）における、シート部１２ｂ（１４ｂ）の延出方向に直交する方向の一方の辺端部（図１においては左辺端部、図２においては右辺端部）にて、縫合部３２、３４ａ、３４ｂ、３６の何れとも不連続であり、独立した縫合部３８ａ、３８ｂによって縫合されて、縫製物が形成されており、この縫製物によって収納具１０が構成されているのである。なお、図１、図２及び図６において、各縫合部は点線で表している。
【００２８】
上述したように、本考案に従う収納具１０は、二枚の防塵性織物シート（第一のシート１２、第二のシート１４）が所定の部位においてのみ縫合されてなる縫製物にて構成されているところ、Ｉ）かかる縫製物における縫合部３２と縫合部３６との間の部位によって第一の収納部５０が、また、II）縫製物における縫合部３６と縫合部３４ａ、３４ｂとの間の部位によって第二の収納部５２が、何れも、有利に形成されているのである。
【００２９】
また、収納具１０にあっては、第一のシート１２（第二のシート１４）のシート部１２ａ（１４ａ）における、シート部１２ｂ（１４ｂ）の延出方向に直交する方向の一方の辺端部（図１においては左辺端部、図２においては右辺端部）にて、縫合部３２、３４ａ、３４ｂ、３６の何れとも不連続であり、独立した縫合部３８ａ、３８ｂによっても縫合されている。このような縫合部３８ａ（縫合部３８ｂ）が形成せしめられていることにより、各種クリーンルーム用品を、縫合部３８ａ（縫合部３８ｂ）が設けられていない側より第一の収納部５０（第二の収納部５２）内に収納せしめた場合でも、各種クリーンルーム用品は第一の収納部５０（第二の収納部５２）から脱落することなく、かかる収容部内に有利に止まることとなる（図６を参照）。
【００３０】
さらに、図１及び図２より明らかなように、収納具１０においては、第一のシート１２（第二のシート１４）のシート部１２ｂ（１４ｂ）における外縁部の、図３及び図４における左右方向に水平な部位を除いた部位が、縫合部３４ａ、３４ｂによって縫合されており、これら縫合部３４ａ、３４ｂ間の縫合されていない二枚のシートの部位により、開口部５４が形成されているのである。従って、図６に示されているように、収納具１０内に、吊り下げ型整理具であるハンガーを、そのフック部が開口部５４より突出せしめるように収納具１０内に収容することにより、ハンガーに吊り下げられた状態にある収納具１０を、クリーンルームの更衣室内にて水平方向に配設されているハンガーバーに、ハンガーを介して吊り下げることが可能である。
【００３１】
そして、本考案に従うクリーンルーム用品の収納具１０にあっては、例えば図６に示されているように、第一の収納部５０にクリーンシューズ６２を収納せしめ、また第二の収納部５２に折り畳んだクリーンスーツを収納せしめ、開口部５４よりハンガー６４のフック部が突出するようにハンガー６４を収納具１０に内装させて、かかるフック部がハンガーバー６６に掛けられることにより、クリーンシューズ６２等を収納した収納具１０が、ハンガー６４を介してハンガーバー６６に吊り下げられることとなるのである。
【００３２】
なお、本考案の収納具は、各種のクリーンルーム用品を第一の収納部及び／又は第二の収納部に収納せしめた後、収納具にハンガーを内装し、かかるハンガーのフック部をハンガーバーに掛けるように使用され得ることのみならず、ハンガーを内装した収納具を予めハンガーバーに吊り下げておき、その吊り下げられた状態にある収納具の収納部に、各種のクリーンルーム用品を収納するように使用することも、勿論、可能である。
【００３３】
以上、本考案の代表的な実施形態の一つについて詳述してきたが、本考案には、上記した具体的記述以外にも、本考案の趣旨を逸脱しない限りにおいて、当業者の知識に基づいて種々なる変更、修正、改良等が加え得るものであることが、理解されるべきである。
【００３４】
例えば、収納具の表面及び／又は裏面に設けられるポケット部の形状、大きさ及び配置については、図２、図４に表されているものに限定されず、必要に応じて適宜、変更することが出来る。具体的には、各種筆記具を収納するためのポケット部として、図１乃至図４の上下方向において縦長で、幅狭なポケット部を設けることが可能である。また、収納具の一方の面に複数個のポケット部を設けることも可能である。
【００３５】
このように、本考案に従うクリーンルーム用品の収納具にあっては、同一形状を呈する二枚の防塵性織物シートの縫製物にて構成されるものであるところから、外部とクリーンルーム（防塵室）との間の動線上に配置され、一定程度の空気清浄度が要求される更衣室等（前室）において、特に有利に用いられ得るのである。また、本考案の収納具は開口部を有しており、この開口部よりハンガーのフック部を突出せしめるようにハンガーを内装させた収納具を、ハンガーを介して、更衣室内にて水平方向に配設されているハンガーバーに吊り下げることが可能である。更に、本考案の収納具は二つの収容部を有しており、吊り下げられた状態にある収納具の各収納部にクリーンルーム用品を収納する（例えば、第一の収納部にクリーンシューズを収納し、第二の収納部にクリーンスーツを収納する）ことにより、更衣室内にロッカーを配置して利用する場合等と比較して、クリーンルーム用品をコンパクトに収容可能とされているのである。
【符号の説明】
【００３６】
１０    クリーンルーム用品の収納具
１２    第一のシート
１４    第二のシート
１６、１８    パイピング処理部
２４    ポケット部
２８    パイピング処理部
３０    メッシュ布
【図１】
0003230129.tif 000003
【図２】
0003230129.tif 000004
【図３】
0003230129.tif 000005
【図４】
0003230129.tif 000006
【図５】
0003230129.tif 000007
【図６】
0003230129.tif 000008
【手続補正書】
【提出日】令和2年10月29日(2020.10.29)
【手続補正１】
【補正対象書類名】実用新案登録請求の範囲
【補正対象項目名】全文
【補正方法】変更
【補正の内容】
【実用新案登録請求の範囲】
【請求項１】
同一形状を呈する二枚の防塵性織物シートの縫製物からなるクリーンルーム用品の収納具にして、
前記防塵性織物シートは、矩形状を呈する第一シート部と、該第一シート部における一の辺端部から延出する、外方に向かって幅狭な等脚台形状を呈する第二シート部とから構成されており、
外形状が一致するよう重ね合わせられた前記二枚の防塵性織物シートが、ｉ）該防塵性織物シートにおける前記第一シート部の、前記第二シート部が設けられている側の辺端部と対向する辺端部において、該第二シート部が延出する方向に垂直な直交方向の全長に亘る縫合部ａによって縫合され、ii）該防塵性織物シートの前記第二シート部における外縁部の、前記直交方向に水平な部位を除いた部位において、縫合部ｂ１、ｂ２によって縫合され、iii ）該防塵性織物シートにおける縫合部ａと縫合部ｂ１、ｂ２との間において、前記直交方向の全長に亘る縫合部ｃによって縫合されて、前記縫製物は構成されており、
前記縫製物における縫合部ａと縫合部ｃとの間の部位によって第一の収納部が形成され、且つ、該縫製物における縫合部ｃと前記縫合部ｂ１、ｂ２との間の部位によって第二の収納部が形成されており、
前記縫製物における縫合部ｂ１、ｂ２間の、縫合されていない前記二枚の防塵性織物シートの部位によって開口部が形成されている、
ことを特徴とするクリーンルーム用品の収納具。
【請求項２】
前記縫製物における少なくとも何れか一方の表面上に、矩形状のメッシュ布が一の辺端部を除く三つの辺端部において縫合されてなるポケット部を備える請求項１に記載のクリーンルーム用品の収納具。
【請求項３】
前記メッシュ布が、外周縁に防塵性織物生地からなる帯状布を用いたパイピング処理部を有するものである請求項２に記載のクリーンルーム用品の収納具。
【請求項４】
前記防塵性織物シートが、外周縁に防塵性織物生地からなる帯状布を用いたパイピング処理部を有するものである請求項１乃至請求項３の何れか１項に記載のクリーンルーム用品の収納具。
【請求項５】
前記二枚の防塵性織物シートが、前記第一の収納部及び／又は第二の収納部の、前記第二シート部の延出方向に直交する方向における一方の辺端部において、縫合部ａ、縫合部ｂ１、縫合部ｂ２及び縫合部ｃの何れからも独立する縫合部ｄにて縫合されている請求項１乃至請求項４の何れか１項に記載のクリーンルーム用品の収納具。